(57)【特許請求の範囲】
【請求項１】
逆洗計量槽が洗浄水槽内に収納され、洗浄水槽の内壁と逆洗計量槽の外壁との間に通水路空間が形成されると共に、逆洗計量槽の底部には逆洗計量槽と前記通水路空間とを連通する連通孔が形成されるように構成され、
前記洗浄水槽の外側には複数の膜モジュールが立設されており、
前記逆洗計量槽と前記洗浄水槽とは同心状に配置されており、且つ前記連通孔は前記逆洗計量槽底部の中央位置に形成されており、
ろ過処理時には、前記膜モジュールによってろ過された膜ろ過水が前記通水路空間の上部から下部に向けて流入し、前記連通孔を通って前記逆洗計量槽内に流入して貯留され、
物理洗浄時には、前記逆洗計量槽内に貯留されている膜ろ過水の液面に圧縮空気を供給して、逆洗計量槽内の膜ろ過水を前記連通孔を通って前記通水路空間の下部から上部に向けて逆流させ膜ろ過水を膜モジュールに供給するように構成され、
更に、前記物理洗浄時に前記逆洗計量槽液面に供給される圧縮空気の流量を調整するエア供給弁と、
前記逆洗計量槽に貯留されている膜ろ過水の液面レベルを計測する液面レベル計測手段と、
前記逆洗計量槽液面に圧縮空気が供給されることにより、逆洗計量槽液面が下降する際の液面下降速度を計測して洗浄流量を算出し、次回の物理洗浄時において前記算出された洗浄流量になるようにエア供給弁の開度を調整する弁制御手段と、
を備えたことを特徴とする自己洗浄槽保有型膜ろ過装置。
【発明の詳細な説明】
【技術分野】
【０００１】
本発明は、膜モジュールを備えた膜ろ過装置であって、より詳しくは装置内に物理洗浄に使用する洗浄水槽を一体に設け、効率良く膜ろ過処理を継続できる自己洗浄槽保有型膜ろ過装置に関するものである。
【背景技術】
【０００２】
本願出願人は、この種の自己洗浄槽保有型膜ろ過装置を既に提案している（以下の特許文献１参照）。この既に提案している自己洗浄槽保有型膜ろ過装置は、逆洗計量槽が洗浄水槽内に収納され、洗浄水槽の内壁と逆洗計量槽の外壁との間に通水路空間が形成されると共に、逆洗計量槽の底部には逆洗計量槽と前記通水路空間とを連通する連通孔が形成され、洗浄水槽の外側には複数の膜モジュールが立設された構成とされている。そして、当該自己洗浄槽保有型膜ろ過装置においては、ろ過処理時には、膜モジュールによってろ過された膜ろ過水が通水路空間の上部から下部に向けて流入し、連通孔を通って前記逆洗計量槽内に流入して貯留され、物理洗浄時には、逆洗計量槽内に貯留されている膜ろ過水の液面に圧縮空気を供給して、逆洗計量槽内の膜ろ過水を連通孔を通って通水路空間の下部から上部に向けて逆流させて、膜ろ過水を膜モジュールに供給することにより、膜モジュール内を逆流洗浄するように構成されている。
【先行技術文献】
【特許文献】
【０００３】
【特許文献１】特開２０１１−２７２１０４号公報
【発明の概要】
【発明が解決しようとする課題】
【０００４】
上記特許文献１記載の膜ろ過装置は、洗浄水槽の内壁と逆洗計量槽の外壁との間に通水路空間を形成し、ろ過処理時及び物理洗浄時には通水路空間を膜ろ過水の通水路として利用することにより、コンパクトな装置で且つ効率良く、膜モジュールから逆洗計量槽への流入や、逆洗計量槽から膜モジュールへの流出を行うことが可能である。
【０００５】
しかし、上記特許文献１記載の膜ろ過装置では、物理洗浄時に、原水の水温の変化による水の粘性特性から、膜モジュール内の膜透過特性が変化することから、膜モジュールの逆流洗浄に際しては、最適な洗浄流量が供給されていない。
【０００６】
そこで、上記特許文献１記載の膜ろ過装置において、原水の水温に応じて膜透過性が変化する膜モジュールに対して、最適な洗浄流量により洗浄を行うことが要望されていた。
【０００７】
本発明は、上記課題に鑑みて考え出されたものであり、その目的は、原水の水温に応じて膜透過性が変化する膜モジュールに対して、最適な洗浄流量により洗浄を行うことを可能にした自己洗浄槽保有型膜ろ過装置を提供することである。
【課題を解決するための手段】
【０００８】
上記目的を達成するため、本発明に係る自己洗浄槽保有型膜ろ過装置は、
逆洗計量槽が洗浄水槽内に収納され、洗浄水槽の内壁と逆洗計量槽の外壁との間に通水路空間が形成されると共に、逆洗計量槽の底部には逆洗計量槽と前記通水路空間とを連通する連通孔が形成されるように構成され、
前記洗浄水槽の外側には複数の膜モジュールが立設されており、
前記逆洗計量槽と前記洗浄水槽とは同心状に配置されており、且つ前記連通孔は前記逆洗計量槽底部の中央位置に形成されており、
ろ過処理時には、前記膜モジュールによってろ過された膜ろ過水が前記通水路空間の上部から下部に向けて流入し、前記連通孔を通って前記逆洗計量槽内に流入して貯留され、
物理洗浄時には、前記逆洗計量槽内に貯留されている膜ろ過水の液面に圧縮空気を供給して、逆洗計量槽内の膜ろ過水を前記連通孔を通って前記通水路空間の下部から上部に向けて逆流させ膜ろ過水を膜モジュールに供給するように構成され、
更に、前記物理洗浄時に前記逆洗計量槽液面に供給される圧縮空気の流量を調整するエア供給弁と、
前記逆洗計量槽に貯留されている膜ろ過水の液面レベルを計測する液面レベル計測手段と、
前記逆洗計量槽液面に圧縮空気が供給されることにより、逆洗計量槽液面が下降する際の液面下降速度を計測して洗浄流量を算出し、次回の物理洗浄時において前記算出された洗浄流量になるようにエア供給弁の開度を調整する弁制御手段と、
を備えたことを特徴とする。
【発明の効果】
【０００９】
本発明によれば、原水の水温に応じて膜透過性が変化する膜モジュールに対して、最適な洗浄流量により洗浄を行うことが可能となる。
【図面の簡単な説明】
【００１０】
【図１】本発明に係る自己洗浄槽保有型膜ろ過装置の全体構成の概念図。
【図２】膜モジュールの取付状態を示す斜視図。
【図３】自己洗浄槽保有型膜ろ過装置の平面図。
【図４】図３のａ−ａ線矢視断面図。
【図５】図３のｂ−ｂ線矢視断面図。
【図６】自己洗浄槽保有型膜ろ過装置に備えられている膜破断検出及び薬液洗浄に必要な構成部材・配管構造等の模式図。
【図７】配管部材４９の構成を示す図であり、そのうち図７（１）は配管部材４９の平面図、図７（２）は配管部材４９の断面図。
【図８】実施の形態２におけるエア供給に関する配管構造等の模式図。
【発明を実施するための形態】
【００１１】
本発明に係る自己洗浄槽保有型膜ろ過装置の最良の形態について説明する。なお、本発明の概念的な構成について説明した後に、具体的な構成について図面を参照しながら説明する。
【００１２】
本発明のうちの第１の自己洗浄槽保有型膜ろ過装置は、
逆洗計量槽が洗浄水槽内に収納され、洗浄水槽の内壁と逆洗計量槽の外壁との間に通水路空間が形成されると共に、逆洗計量槽の底部には逆洗計量槽と前記通水路空間とを連通する連通孔が形成されるように構成され、
前記洗浄水槽の外側には複数の膜モジュールが立設されており、
前記逆洗計量槽と前記洗浄水槽とは同心状に配置されており、且つ前記連通孔は前記逆洗計量槽底部の中央位置に形成されており、
ろ過処理時には、前記膜モジュールによってろ過された膜ろ過水が前記通水路空間の上部から下部に向けて流入し、前記連通孔を通って前記逆洗計量槽内に流入して貯留され、
物理洗浄時及び薬液洗浄時には、前記逆洗計量槽内に貯留されている膜ろ過水の液面に圧縮空気を供給して、逆洗計量槽内の膜ろ過水を前記連通孔を通って前記通水路空間の下部から上部に向けて逆流させ膜ろ過水を膜モジュールに供給するように構成され、
更に、前記逆洗計量槽内の略中央部には、薬液を注入する薬液注入管と、膜ろ過水濁度測定のため前記連通孔を通って逆洗計量槽内に流入する膜ろ過水をサンプリングする膜ろ過水サンプリング管とが配設されていることを特徴とする自己洗浄槽保有型膜ろ過装置である。
【００１３】
上記構成によれば、膜ろ過水のサンプリングに際しては、膜ろ過水サンプリング管が逆洗計量槽内の略中央部に配設されているので、各膜モジュールから通水路空間を通って集められ、逆洗計量槽内に流入する膜ろ過水は、各膜モジュールから均等に流入することになる。従って、いずれかの膜モジュールに偏った状態で膜ろ過水のサンプリングが行われることはなく、各膜モジュールに均等な状態で膜ろ過水のサンプリングを行うことができる。
また、薬液注入に際しては、薬液注入管が逆洗計量槽内の略中央部に配設されているので、通水路空間から各膜モジュールに供給される薬液は各膜モジュールに対して均等に流入することになる。従って、１つの薬液注入管による薬液注入により全ての膜モジュールに対して薬液を供給することができるので薬液注入の効率が良い。加えて、各膜モジュールに均等に薬液が供給されるので、洗浄が不十分である膜モジュールが存在せず、各膜モジュールは常に均等な高品質の洗浄がなされることになる。
なお、本願発明は、逆洗計量槽内の略中央部に、薬液注入管と膜ろ過水サンプリング管とが配設されていればよく、薬液注入管及び膜ろ過水サンプリング管が、薬液注入管の内側に膜ろ過水サンプリング管が配置された２重管構造で構成されている場合であってもよく、また、薬液注入管及び膜ろ過水サンプリング管としてそれぞれ使用する２個の管を個別に設けるような構成であってもよい。
【００１４】
また、本発明に係る第２の自己洗浄槽保有型膜ろ過装置は、第１の自己洗浄槽保有型膜ろ過装置であって、前記薬液注入管及び前記膜ろ過水サンプリング管は、薬液注入管の内側に膜ろ過水サンプリング管が配置された２重管構造で構成されていることを特徴とする。
【００１５】
上記構成によれば、１つの２重管を設置すればよく、薬液注入管及び膜ろ過水サンプリング管それぞれの個別の設置作業が不要となる。従って、設置作業が容易となり、また、設置のための作業時間が短くなる。更に、１つの２重管を用いることにより、薬液注入管及び膜ろ過水サンプリング管の逆洗計量槽内中央部ヘの設置精度が高まるので、（１）各膜モジュールにより均等に薬液が供給され、（２）また、各膜モジュールからより均等な状態で膜ろ過水のサンプリングを行うことができる。
【００１６】
また、本発明に係る第３の自己洗浄槽保有型膜ろ過装置は、第１の自己洗浄槽保有型膜ろ過装置又は第２の自己洗浄槽保有型膜ろ過装置であって、前記膜ろ過水サンプリング管からサンプリングした膜ろ過水の濁度を測定する濁度測定手段と、前記濁度測定手段による測定濁度値が第１設定値以上になった場合は、濁度測定手段に供給されるサンプリング水を、逆洗計量槽内に流入して貯留される膜ろ過水から膜モジュール毎の膜ろ過水に切替える配管切替手段と、を備え、前記濁度測定手段により、前記膜モジュール毎に膜ろ過水の濁度測定を行い、測定濁度値が第２設定値以上になった場合は、第２設定値以上になった当該膜モジュールを膜破断した膜モジュールと判定し、当該膜モジュールの使用を停止することを特徴とする。
【００１７】
上記構成によれば、膜ろ過水サンプリング管からサンプリングした膜ろ過水の濁度を測定することにより、各膜モジュールに均等な状態で膜ろ過水のサンプリングを行うことができるので、膜ろ過水の濁度測定による膜破断の精度が向上する。
【００１８】
また、本発明に係る第４の自己洗浄槽保有型膜ろ過装置は、第１の自己洗浄槽保有型膜ろ過装置又は第２の自己洗浄槽保有型膜ろ過装置であって、前記膜モジュールの膜破断を検出する膜破断検出手段として、膜ろ過水濁度の異常検出により膜破断を検出する第１膜破断検出手段と、圧力保持試験により膜破断を検出する第２膜破断検出手段とを備え、通常時は前記第１膜破断検出手段によって膜破断検出を行い、定期的に前記第１膜破断検出手段に代えて前記第２膜破断検出手段によって膜破断検出を行うように構成されていることを特徴とする。
【００１９】
濁度測定による方法のみでは、原水があまり汚れていない場合には膜モジュールの膜破断を検出できない。そこで、通常は濁度を監視し、定期的に圧力保持試験による方法により膜破断検出を行うことにより、原水があまり汚れていない場合にも膜破断を検出することが可能となる。また、物理洗浄に圧縮空気による動力を用いていることから、その空気源を利用して圧力保持試験を行うことができる。従って、圧力保持試験のために、特別に空気源を設ける必要がなく、コストの低減を図ることができる。
なお、「圧力保持試験」とは、膜モジュールの膜ろ過水流出側から空気圧を掛け、その圧力が一定時間保持されるか否かを確認し、保持されない場合は膜破断が存在しているものと判断する試験を意味する。
【００２０】
また、本発明に係る第５の自己洗浄槽保有型膜ろ過装置は、第１の自己洗浄槽保有型膜ろ過装置又は第２の自己洗浄槽保有型膜ろ過装置であって、前記膜ろ過水サンプリング管からサンプリングした膜ろ過水の濁度を測定する濁度測定手段を備え、前記濁度測定手段による測定濁度値が第１設定値以上になった場合において、膜破断を生じている膜モジュールを特定する手段として、膜ろ過水サンプルを各膜モジュール毎に切替える手段と、エアリーク試験により特定する手段のいずれかを選択できるように構成されていることを特徴とする。
【００２１】
上記の如く、膜破断を生じている膜モジュールを特定する手段を２種類設け、いずれかを選択できるように構成することにより、膜破断を生じている膜モジュールを効率よく特定することが可能となる。
なお、「エアリーク試験」とは、膜モジュールの原水側から空気圧を掛け、膜破断が存在している膜モジュールでは膜ろ過水側に気泡が生じることにより、膜破断検出器の液面を押し下げ、これにより異常を検出することによって膜破断を生じている膜モジュールを特定する試験を意味する。
【００２２】
また、本発明に係る第６の自己洗浄槽保有型膜ろ過装置は、第１の自己洗浄槽保有型膜ろ過装置又は第２の自己洗浄槽保有型膜ろ過装置であって、薬液を貯留する薬液貯留タンクと、前記薬液貯留タンク内の薬液を前記薬液注入管に供給する薬液供給手段と、前記薬液洗浄時に前記逆洗計量槽液面に供給される圧縮空気の流量を調整するエア供給弁と、を備え、前記エア供給弁の開度を最小とし、前記薬液供給手段の駆動力を最大として、薬液による浸漬洗浄を行うことを特徴とする。
【００２３】
上記の如く、エア供給弁の開度を最小とし、前記薬液供給手段の駆動力を最大とすることで高濃度の薬液による浸漬洗浄を行うことが可能となる。
【００２４】
また、本発明に係る第７の自己洗浄槽保有型膜ろ過装置は、第１の自己洗浄槽保有型膜ろ過装置又は第２の自己洗浄槽保有型膜ろ過装置であって、前記物理洗浄時に前記逆洗計量槽液面に供給される圧縮空気の流量を調整するエア供給弁と、前記逆洗計量槽に貯留されている膜ろ過水の液面レベルを計測する液面レベル計測手段と、前記逆洗計量槽液面に圧縮空気が供給されることにより、逆洗計量槽液面が下降する際の液面下降速度を計測して洗浄流量を算出し、次回の物理洗浄時において前記算出された洗浄流量になるようにエア供給弁の開度を調整する弁制御手段と、を備えたことを特徴とする。
【００２５】
上記構成によれば、原水の水温に応じて膜透過性が変化する膜モジュールに対して最適な洗浄流量により洗浄を行うことが可能となる。
【００２６】
また、本発明に係る第８の自己洗浄槽保有型膜ろ過装置は、第１の自己洗浄槽保有型膜ろ過装置又は第２の自己洗浄槽保有型膜ろ過装置であって、薬液を貯留する薬液貯留タンクと、前記薬液貯留タンク内の薬液を前記薬液注入管に供給する薬液供給手段と、前記薬液洗浄時に前記逆洗計量槽液面に供給される圧縮空気の前記逆洗計量槽液面への供給・遮断を行う逆洗エア開閉弁と、薬液排出水を原水で希釈化すべく、薬液排出水を排水する排水管に原水を供給する原水配管と、前記原水配管に設けられ、原水の前記排水管への供給・遮断を行う原水ドレン弁と、前記膜モジュール内に薬液を浸漬させて洗浄を行う浸漬洗浄完了後に、前記原水ドレン弁を開状態にし、この原水ドレン弁の開状態を維持したまま、前記逆洗エア開閉弁を第１設定時間だけ開状態とし、第１設定時間終了後は第２設定時間だけ閉状態とし、この逆洗エア開閉弁の開状態と閉状態とを所定回数繰り返し、浸漬洗浄後の薬液排出水の希釈比率を実質的に変化させて排出する希釈化制御手段と、を備えたことを特徴とする。
上記構成によれば、浸漬洗浄完了後、薬液排出水を排水するに際して、原水ドレン弁を開状態にして薬液排出水を原水で希釈して放流するが、原水流量の上限が制限されているため、薬液排出水を所定濃度まで希釈化できない。そこで、原水ドレン弁の開状態を維持したまま、逆洗エア開閉弁を第１設定時間だけ開状態とし、第１設定時間終了後は第２設定時間だけ閉状態とし、この逆洗エア開閉弁の開状態と閉状態とを所定回数繰り返す。これにより、単位時間当たりの薬液排出水の排水量が制限されるので、浸漬洗浄後の薬液排出水の希釈比率を実質的に変化させて排出することができる。この結果、薬液排出水の放流全体としてみると、所定濃度まで希釈化されて排水されたことになる。
【００２７】
以下、本発明を実施の形態に基づいて詳述する。なお、本発明は、以下の実施の形態に限定されるものではない。
【００２８】
（実施の形態１）
図１は本発明に係る自己洗浄槽保有型膜ろ過装置の全体構成の概念図、図２は膜モジュールの取付状態を示す斜視図、図３は自己洗浄槽保有型膜ろ過装置の平面図、図４は図３のａ−ａ線矢視断面図、図５は図３のｂ−ｂ線矢視断面図である。尚、図１は本発明に係る自己洗浄槽保有型膜ろ過装置の概念構成を示すものであり、該膜ろ過装置を構成する各構成部品や配管系統等の具体的な構成は図２〜図５に示されている。
膜ろ過装置１は、装置中央部に配置された返送・排水槽２、洗浄水槽３、及び逆洗計量槽４を有する。これら返送・排水槽２、洗浄水槽３、及び逆洗計量槽４は、下方から上方向に向けてこの順序で一体的に形成されている。より詳しくは、逆洗計量槽４が洗浄水槽３内に収納され、洗浄水槽３の内壁と逆洗計量槽４の外壁との間に通水路空間６０が形成されている。尚、逆洗計量槽４の底部には、逆洗計量槽４と通水路空間６０とを連通する連通孔４ａが形成されている。また、逆洗計量槽４と洗浄水槽３とは同心状に配置されており、且つ連通孔４ａは逆洗計量槽４底部の中央位置に形成されている。従って、洗浄水槽３内に流入した膜ろ過水は通水路空間６０を通り、逆洗計量槽４の底部から逆洗計量槽４内に流入するようになっている。
【００２９】
膜ろ過装置１の下部には円盤状の原水供給ブロック５が配置され、膜ろ過装置１の上部には円盤状の膜ろ過水集水ブロック６が配置され、原水供給ブロック５の外方側端部と膜ろ過水集水ブロック６の外方側端部との間には複数個（本実施の形態では１０個）の膜モジュール７ａ〜７ｊ（膜モジュールを総称するときは参照符号７で示し、各膜モジュールを個別に示すときは参照符号７に添字ａ〜ｊを付して示す。）が介在されている。これら膜モジュール７は、図２に示すように、膜ろ過装置１の中心部を中心とした円周上に立設されている。従って、各膜モジュール７と膜ろ過装置１の中心部との距離は、等しい。ここで、本発明で使用する膜モジュール７は、旭化成ケミカルズ（株）のケーシング収納型加圧型ＭＦ膜モジュールを選定しているが、メーカー、型式、膜種を限定するものではなく、加圧型ＭＦ膜モジュールであれば使用することができる互換性を有する構造としている。尚、図１においては図面の簡略化を図るため、１つの膜モジュール７のみが描かれている。
【００３０】
原水供給ブロック５は中央孔８を備えている。この中央孔８には、図４及び図５に示すように、排水管９及び排水管９の下端部付近を外装する外装管３０が挿通している。排水管９の上端は返送・排水槽２の底部と連通している。また、外装管３０は図４及び図５に示すように原水流入配管Ｌ１０と接続されており、後述するように原水が外装管３０を介して原水供給ブロック５の原水流入口５ａから流入可能となっている。更に、外装管３０は図３及び図４に示すように循環水配管Ｌ２と連通しており、後述するように循環水が外装管３０を介して原水供給ブロック５の原水流入口５ａから流入可能となっている。
原水供給ブロック５には、原水流入口５ａと、原水流入口５ａから放射線状に延び各膜モジュール７に至る原水供給流路１１（図４及び図５参照）とが形成されている。原水流入口５ａから原水供給ブロック５内に流入した原水は、各原水供給流路１１を通って各膜モジュール７の下部に供給されるようになっている。
【００３１】
膜ろ過水集水ブロック６は中央孔１２を備えている。この中央孔１２には逆洗計量槽４の上部が嵌り込み、逆洗計量槽４を収納する洗浄水槽３の上方開口を塞ぐようにして配置されている。膜ろ過水集水ブロック６は、各膜モジュール７の上部に連通し且つ洗浄水槽３に向けて延びる複数の膜ろ過水集水流路１３（図４及び図５参照）が形成されている。このような構成により、各膜モジュール７でろ過された膜ろ過水は、各膜ろ過水集水流路１３を通って洗浄水槽３に集水されることになる。
【００３２】
また、各膜モジュール７と返送・排水槽２との間には連通管１４が設けられている。この連通管１４は、ろ過時には循環水を膜モジュール７から返送・排水槽２に導く働きをし、逆洗浄時には洗浄水槽３内の膜ろ過水を、膜ろ過水集水流路１３から膜モジュール７を経て返送・排水槽２に導く働きをする。
【００３３】
また、返送・排水槽２の下方には空気槽１５が設けられており、この空気槽１５にはコンプレッサ１６が接続されている。空気槽１５は配管Ｌ１を介して逆洗計量槽４の上部に接続されている。
【００３４】
また、返送・排水槽２と原水供給ブロック５とは、排水管９、循環水配管Ｌ２及び外装管３０を介して連通されている。この循環水配管Ｌ２には循環ポンプＰ１が設けられている。循環ポンプＰ１の駆動により、循環水は、返送・排水槽２→排水管９→循環水配管Ｌ２→外装管３０→原水供給ブロック５→膜モジュール７→連通管１４→返送・排水槽２の経路を経て循環されるようになっている。
また、膜モジュール７の上部には膜モジュール点検口２０及び膜破断検出器２１が備えられている。膜モジュール点検口２０は膜モジュール７と同一径であり、従来例のような絞り込む形状のコネクタを用いていないので、装置から膜モジュールを取り外すことなく膜モジュールを修繕することが可能という利点がある。尚、膜モジュールの修繕は、破断した膜チューブを専用の補修ピンで塞ぐことにより行われる。
また、膜ろ過水集水流路１３には緊急遮断弁ＡＳＶが設けられている。後述するように、膜モジュール７の膜破断が膜破断検出器２１によって検出されたときは、緊急遮断弁ＡＳＶは「閉」状態となり、膜モジュール点検口２０から膜を修繕することができるようになっている。
【００３５】
また、逆洗計量槽４の上部開口は天板２２によって閉止されており、この天板２２には、逆洗計量槽４内の液面レベルを計測する逆洗計量槽レベル計Ａ１が設けられている。レベル計Ａ１は、液面レベルがハイレベル位置Ｈからローレベル位置Ｌまでのレベルを連続的に計測可能となっている。このレベル計Ａ１は逆洗浄時に逆洗計量槽４の液面下降速度を計測する際に使用される。
また、天板２２には膜ろ過水流出管４１が接続されている。原水供給ブロック５内の各原水供給流路１１には、膜モジュール供給元弁Ｖ２０が設けられている。
【００３６】
尚、図１において、Ｖ１は原水流入弁、Ｖ２はろ過水流出弁、Ｖ３は循環水弁、Ｖ４はエア供給弁、Ｖ５は洗浄排水弁、Ｖ６は返送・排水槽エア抜弁、Ｖ７はエアスクラビング弁である。
また、図５において、Ｌ４０は原水配管であり、この原水配管Ｌ４０は排水管９に原水を供給するための配管であって、薬液洗浄工程において排水管９から排出される薬液排出水を原水で希釈化するため等に用いられる。また、図５において、Ｖ４０は原水ドレン弁であり、この原水ドレン弁Ｖ４０は原水配管９に設けられ排水管９への供給・遮断を行う開閉弁である。尚、原水貯留槽（原水貯留タンク）内の原水は、原水ポンプ（図示せず）の駆動によって膜ろ過装置１に供給される。但し、原水貯留槽が膜ろ過装置１の上方に存在する場合は、原水が自然に供給され得ることから、強制的に供給する原水ポンプを省略する構成（実施の形態２）としてもよい。
【００３７】
更に、図１、図５及び図６に示すように、膜破断検出及び薬液洗浄に必要な構成部材・配管構造等が備えられている。即ち、逆洗計量槽４内には、配管部材４９が設けられている。この配管部材４９は、図７に示すように、円盤状基台５０と、円盤状基台５０の下面から下方に延びる管体５１とを備える。管体５１は、薬液を注入する薬液注入管５１ａの内側に膜ろ過水をサンプリングする膜ろ過水サンプリング管５１ｂが配置された２重管構造をなしている。この管体５１の下端部は、図４及び図５に示すように、連通孔４ａの近傍に位置するように配設されている。薬液注入管５１ａの上端は円盤状基台５０の下面に接触している。この薬液注入管５１ａの下端部には、その下端部を覆おうゴム状の閉止体５８から構成されるチャッキ弁５９が設けられている。このチャッキ弁５９は、薬液注入時には注入圧で閉止体５８が開状態となり、薬液注入時でないときは膜ろ過水の水圧で閉止体５８が閉状態となるように構成されている。これにより、薬液注入時のみ薬液が注入され、それ以外のときに膜ろ過水が薬液注入管５１ａ内に流入することが防がれている。
【００３８】
また、管体５１に形成された、薬液注入管５１ａと膜ろ過水サンプリング管５１ｂとの間の薬液注入路５２は、円盤状基台５０に形成されている薬液注入路５３と連通している。一方、膜ろ過水サンプリング管５１ｂは、その上端が薬液注入路５３を通って円盤状基台５０内に貫入している。円盤状基台５０には、配管接続口５４，５５が形成されている。この配管接続口５４には配管Ｌ３の一端が接続され、この配管Ｌ３の他端は濁度計４５に接続されている。これにより、膜ろ過水サンプリング管５１ｂは配管Ｌ３を介して濁度計４５に接続され、逆洗計量槽４内の膜ろ過水は膜ろ過水サンプリング管５１ｂからサンプリングされて濁度計４５に与えられ、濁度計４５によって濁度が測定される。なお、配管Ｌ３には開閉弁Ｖ３０が設けられている。
【００３９】
一方、円盤状基台５０の配管接続口５５には、配管Ｌ２０の一端が接続されている。この配管Ｌ２０の他端は、後述する注入ポンプ１０１を介して洗浄用薬液（次亜塩素酸ナトリウム）を貯留する貯留槽１００に接続されている。これにより、貯留槽１００に貯留されている洗浄用薬液は、注入ポンプ１０１によって、配管Ｌ２０、薬液注入路５３、及び薬液注入路５２を経て逆洗計量槽４の底部連通孔４ａに注入される。
このように、上記構造の配管部材４９を逆洗計量槽４に設けることにより、膜破断検出及び薬液洗浄に必要な構成部材・配管構造等を容易に配設することができる。
【００４０】
また、濁度計４５は、配管Ｌ４、各膜モジュール７ａ〜７ｊに対応して設けられた開閉弁Ｖ３２ａ〜３２ｊ（開閉弁を総称するときは参照符号Ｖ３２で示し、各開閉弁を個別に示すときは参照符号Ｖ３２に添字ａ〜ｊを付して示す。）を介して各膜モジュール７ａ〜７ｊに個別に接続されている。配管Ｌ４には、開閉弁Ｖ３１が設けられている。
また、洗浄用薬液（次亜塩素酸ナトリウム）を貯留する貯留槽１００及び薬液注入用の注入ポンプ１０１が設けられている。薬液洗浄に際しては、注入ポンプ１０１駆動によって貯留槽１００内の薬液が薬液注入管５１ａから逆洗計量槽４の底部連通孔４ａに注入されるようになっている。また、図６に明瞭に示すように、通水路空間６０の上部で且つ膜ろ過水集水ブロック６出口側近傍には、膜モジュール出口圧力計Ａ２が設けられている。この膜モジュール出口圧力計Ａ２によって膜モジュールろ過水側の圧力を計測することができる。
【００４１】
また、本発明に係る膜ろ過装置１は、図１に示すように制御装置８０を備えている。制御装置８０は、膜ろ過装置１に備えられた各種の計測器等からの計測信号を受け、各弁の開閉制御や開度調整等を行い、また、各種のポンプやコンプレッサの駆動／停止を制御する。また、制御装置８０は、膜ろ過装置１の運転動作に関連する種々の工程（例えば、ろ過工程、物理洗浄工程、膜破断検出工程、薬液洗浄工程等）の処理を制御する。
【００４２】
上記構成の膜ろ過装置では、原水供給ブロック５に供給された原水は各膜モジュール７に対して均一に分配供給され、また、各膜モジュール７からの膜ろ過水は膜ろ過水集水ブロック６を通って中心部に配置された洗浄水槽３に均一に集水され、更に、循環水は各膜モジュール７から各連通管１４を介して中心部に配置された返送・排水槽２に均一に集水されることになる。このことは、各膜モジュール７に対して均一な原水の供給、膜ろ過水および循環水の流出、逆洗水の供給を行うことができることを意味する。従って、従来の直管配置方式に比べると、膜モジュール間に生じていた不均一なファウリングを解消することができ、低動力で稼動することが可能となる。
尚、本発明に係る膜ろ過装置ではストレーナ４０を設け、膜モジュールでろ過する前段処理としてストレーナ４０によって原水を予めろ過しておくことが好ましい。
【００４３】
次いで、上記構成の膜ろ過装置の運転動作について説明する。
Ａ．ろ過工程
原水流入弁Ｖ１及びろ過水流出弁Ｖ２を「開」状態とする。これにより、原水は、原水供給ブロック５の原水供給流路１１を経て膜モジュール７の下部に供給される。そして、原水は膜モジュール７を通過する際に膜ろ過処理される。膜ろ過水は、膜モジュール７の上部から膜ろ過水集水ブロック６の膜ろ過水集水流路１３を通って洗浄水槽３に流入する。また、ろ過処理時においては、循環ポンプＰ１を「運転」状態とし、循環水弁Ｖ３を「開」状態とする。これにより、返送・排水槽２に貯留されている循環水が、原水供給ブロック５の原水供給流路１１に流入し、膜モジュール７の膜表面を通り、連通管１４から返送・排水槽２に戻る循環経路を巡る。そして、循環水が膜モジュール７の膜表面を通過することにより、クロスフローによるファウリング防止が行われる。このようなろ過工程が所定時間行われた後、物理洗浄工程に移る。
【００４４】
Ｂ．物理洗浄工程
物理洗浄工程はろ過継続時間３０〜９０分毎に１回当たり１〜２分間行われる。
原水流入弁Ｖ１、ろ過水流出弁Ｖ２及び循環水弁Ｖ３を「閉」状態とし、循環ポンプＰ１を「停止」する。また、エア供給弁Ｖ４及び洗浄排水弁Ｖ５を「開」状態とする。循環水弁Ｖ３を「閉」状態とし、循環ポンプＰ１を「停止」することにより、循環水の流れを停止する。また、エア供給弁Ｖ４を「開」状態とすることにより、逆洗計量槽４内のろ過水が洗浄水槽３上部から逆流して、膜ろ過水集水ブロック６の膜ろ過水集水流路１３を通って膜モジュール７に供給され、膜モジュール７内が逆流洗浄されることになる。
【００４５】
ここで、原水の水温の変化による水の粘性特性から、膜モジュール7内の膜透過特性が変化する（具体的には水温が高ければ膜透過性は高くなり、水温が低ければ膜透過性も低くなる。当該選定膜モジュールでは、水温２５℃のときの透過性を１としたとき、０℃では０．５となる。）ことから、膜モジュール７の逆流洗浄に際しては以下のような制御を行っている。即ち、逆洗計量槽４の液面下降速度を計測して洗浄流量を演算し、原水の水温に応じて膜透過性が変化する膜モジュール７に対して最適な洗浄流量により洗浄を行うように制御している。以下、具体的に説明する。
【００４６】
先ず、物理洗浄工程時には、エア供給弁Ｖ４の開度が初期値Ｑ％（全開に対してＱ％を意味する。本実施の形態では８０％とする。）に設定され、且つ、エア供給弁Ｖ４の開度Ｑ％で逆洗計量槽４内の全ての膜ろ過水を通水路空間側に排出するのに要する時間（換言すれば、逆洗計量槽４の液面がハイレベル位置Ｈからローレベル位置Ｌに達するまでの時間）を所定時間Ｔ（逆洗計量槽４の容量が８００Ｌの場合である本実施の形態では３０秒）に予め設定されている。
【００４７】
そして、運転当初の逆流洗浄に際しては、エア供給弁Ｖ４の開度を８０％、エア供給弁Ｖ４による圧縮空気の供給時間を３０秒として、逆洗計量槽４内の膜ろ過水を連通孔４ａを通って通水路空間６０の下部から上部に向けて逆流させて、膜ろ過水を膜モジュール７に供給する。一方、この逆流洗浄時において、レベル計Ａ１によって、逆洗計量槽４の液面の変化（ハイレベル位置Ｈからローレベル位置Ｌまでのレベル変化）が計測されている。そして、レベル計Ａ１による計測によって、ハイレベル位置Ｈから３０秒経過してもローレベル位置Ｌに達していない場合は、原水の温度が低く膜モジュール７内の膜透過性が低く、そのため充分な洗浄流量が供給できていないと判定し、次回の逆流洗浄に際しては、エア供給弁Ｖ４の開度をアップする。本実施の形態では、エア供給弁Ｖ４の開度を、８０％に０．１％を付加した（８０＋０．１）％に設定する。
【００４８】
一方、レベル計Ａ１による計測によって、ハイレベル位置Ｈから３０秒経過前にローレベル位置Ｌに達した場合は、原水の温度が高く膜モジュール７内の膜透過性が高く、そのため過剰な洗浄流量を供給していると判定し、次回の逆流洗浄に際しては、エア供給弁Ｖ４の開度をダウンする。本実施の形態では、エア供給弁Ｖ４の開度を、８０％に０．１％を減じた（８０−０．１）％に設定する。
【００４９】
そして、次回以降の逆流洗浄に際しても、上記と同様のエア供給弁Ｖ４の開度調整が行われる。即ち、レベル計Ａ１による計測によって、ハイレベル位置Ｈから３０秒経過してもローレベル位置Ｌに達していない場合は、エア供給弁Ｖ４の開度を、現在の開度（８０．１）％に０．１％を付加した（８０．１＋０．１）％に設定する。レベル計Ａ１による計測によって、ハイレベル位置Ｈから３０秒経過前にローレベル位置Ｌに達した場合は、エア供給弁Ｖ４の開度を、現在の開度（８０．１）％に０．１％を減じた（８０．１−０．１）％に設定する。
【００５０】
こうして、レベル計Ａ１による計測結果に応じてエア供給弁Ｖ４の開度調整を行うことにより、膜モジュール７に対して最適な洗浄流量により洗浄を行うことが可能となる。
尚、後述するように膜破断検出工程により膜破断している膜モジュール７が特定された場合は、その膜破断している膜モジュール７に関する緊急遮断弁ＡＳＶを「閉」状態とし、当該膜モジュール７の使用を停止し、その他の膜モジュール７によって通常運転を続行するようになっている。従って、この場合には、全ての膜モジュール７に対する洗浄流量は、使用停止した膜モジュール７に対する洗浄流量分だけ減じられた流量で充分である。そのため、膜破断している膜モジュール７が検出された場合には、残りの膜モジュール７の本数に応じたローレベル位置Ｌを設定し（例えば、全本数（１０本）の膜モジュール７に対しての初期値Ｌを−６００ｍｍとする場合において、１本の膜モジュール７に膜破断が検出されると、初期値Ｌを−６００×（９／１０）＝−５４０ｍｍと設定し）、エア供給弁Ｖ４の開度についても初期値Ｑ％を設定し（同様に、初期値Ｑ％を８０×（９／１０）＝７２％と設定し）上記初期値Ｑ％が８０％である場合と同様にレベル計Ａ１による計測結果に応じてエア供給弁Ｖ４の開度調整を行い、膜モジュール７に対して最適な洗浄流量により洗浄を行うようになっている。
【００５１】
尚、逆流洗浄時には、膜モジュール７からの流出水は、連通管１４を通り返送・排水槽２に導かれ、洗浄排水弁Ｖ５を介して系外に排出される。この逆流洗浄処理と同時にエアスクラビング処理が実行される。即ち、エアスクラビング弁Ｖ７の「開」状態により、空気槽１５内の圧縮空気が膜モジュール７の下部から流入し、膜モジュール７内の中空糸膜を振動させて膜面付着物を剥離・除去する。そして、所定時間経過後に、エアスクラビング弁Ｖ７を「閉」状態とし、エアスクラビング処理が終了する。このようにして、逆流洗浄処理及びエアスクラビング処理が終了した後は、フラッシング処理が実行される。
【００５２】
フラッシング処理においては、原水流入弁Ｖ１を「開」状態とする。これにより、膜モジュール７に供給された原水はろ過膜を透過することなく膜表面をリンスし、返送・排水槽２に流入される。そして、フラッシング処理時間経過後は、洗浄排水弁Ｖ５を「閉」状態とする。
こうして、物理洗浄工程が行われた後は原則的にはろ過工程に戻り、ろ過工程と物理洗浄工程とが繰り返し行われる。但し、２〜３日に１回程度、物理洗浄の逆流洗浄及びエアスクラビング処理が終了した後に、膜破断検出工程（膜破断が検出された場合に、膜破断を生じている膜モジュールを特定する処理工程を含む）が行われる。
【００５３】
Ｃ．膜破断検出工程
本実施の形態においては、膜破断検出及び膜膜破断が検出された場合に膜破断モジュールを特定する方法としては、大別して、（１）膜ろ過水の濁度測定による方法（膜ろ過水の濁度測定により膜破断を検出し、膜破断が検出された場合は膜モジュール毎の濁度測定により膜破断モジュールを特定する）と、（２）圧縮空気を利用した膜モジュールに対する圧力保持試験により膜破断を検出し、膜破断が検出された場合はエアリーク試験により膜破断モジュールを特定する方法を用いている。
通常は上記（１）の濁度測定による方法によって濁度を監視している。しかし、原水があまり汚れていない場合には濁度監視のみでは、膜モジュールの膜破断を検出できない。そこで、本実施の形態では、通常は濁度を監視し、定期的（例えば１０日間隔）に上記（２）の圧力保持試験及びエアリーク試験による方法により膜破断検出（膜破断モジュールの特定を含む）を行っている。
【００５４】
（１）膜ろ過水の濁度測定による方法による膜破断検出（膜破断が検出された場合に、膜破断を生じている膜モジュールを特定する処理工程を含む）
先ず、通常時は、濁度計４５により膜モジュール７の濁度を監視している。即ち、開閉弁Ｖ３０及び開閉弁Ｖ３１の開閉状態を、開閉弁Ｖ３０を「開」、開閉弁Ｖ３１を「閉」に設定する。これにより、膜ろ過水サンプリング管５１ｂから膜ろ過水をサンプリングし、濁度計４５により濁度の測定が行われる。この膜ろ過水のサンプリングに際しては、膜ろ過水サンプリング管５１ｂの下端部が逆洗計量槽４の底部中央位置に存在する連通孔４ａ近傍に位置しているので、各膜モジュール７から通水路空間６０を通って集められ、逆洗計量槽４内に流入する膜ろ過水は各膜モジュール７から均等に流入することになる。従って、いずれかの膜モジュール７に偏った状態で膜ろ過水のサンプリングが行われることはなく、各膜モジュール７に均等な状態で膜ろ過水のサンプリングを行うことができる。これにより、膜ろ過水の濁度測定による膜破断の精度が向上する。
【００５５】
次いで、濁度計４５によって、サンプリング水の濁度が所定値Ｘ１より大きいか否かが判断され、サンプリング水の濁度が所定値Ｘ１未満の場合は膜破断が発生していないと判断され、この場合は次回の濁度測定に移り、濁度監視が継続される。尚、所定値Ｘ１（第１設定値に相当）は１本の膜モジュール７に関する膜破断発生と判断し得る基準値（後述する所定値Ｘ２（第２設定値に相当））を膜モジュール７の総本数に対応して希釈化した値である。例えば、膜モジュール７の総本数が１０本の場合には、所定値Ｘ１は当該基準値（後述する所定値Ｘ２）の（１／１０）倍となっている。
【００５６】
一方、サンプリング水の濁度が所定値Ｘ１以上の場合は膜破断が発生していると判断され、膜破断している膜モジュール７の特定処理が行われる。先ず、膜モジュール７の特定処理のために開閉弁Ｖ３０及び開閉弁Ｖ３１の開閉状態の切替えが行われる。即ち、開閉弁Ｖ３０を「閉」、開閉弁Ｖ３１を「開」に設定する。これにより、膜モジュール７毎に、膜モジュール７上部→膜モジュール７に対応する開閉弁Ｖ３２→配管Ｌ３→開閉弁Ｖ３１→濁度計４５に至る膜ろ過水サンプリング配管経路が構成され、膜モジュール７毎に濁度の測定を行い、膜破断している膜モジュール７の特定を行うことが可能となる。尚、各膜モジュール７の濁度測定に際しては、濁度測定すべき選択された膜モジュール７に対応した開閉弁Ｖ３２を「開」状態とし、その他の開閉弁Ｖ３２は「閉」状態とする。（例えば、膜モジュール７ａを選択する場合は、開閉弁Ｖ３２ａを「開」状態とし、その他の開閉弁Ｖ３２ｂ〜Ｖ３２ｊを「閉」状態とする。そして、各膜モジュールに対して、濁度計４５によって、サンプリング水の濁度が所定値Ｘ２より大きいか否かが判断され、サンプリング水の濁度が所定値Ｘ２未満の場合は当該膜モジュール７に膜破断が発生していないと判断され、次の膜モジュール７に関して測定を行う。
一方、サンプリング水の濁度が所定値Ｘ２以上の場合は、当該膜モジュール７に膜破断が発生していると判断され、当該膜モジュール７に関する緊急遮断弁ＡＳＶを「閉」状態とし、当該膜モジュール７の使用を停止し、その他の膜モジュール７によって通常運転を続行する。
【００５７】
（２）圧力保持試験及びエアリーク試験による方法により膜破断検出
本装置において、物理洗浄に圧縮空気による動力を用いていることから、その空気源を利用した圧力保持試験を行うことが可能である。ここで、圧力保持試験は、膜モジュール７で使用されている中空糸膜が空気を透過させないことを利用し、膜ろ過水流出側から空気圧を掛け、その圧力が保持されるか否かを確認することにより膜破断の存在を判断するものである。また、圧力保持試験により膜破断が発生していると判断した場合は、破断した膜モジュールを特定するためにエアリーク試験を行う。
【００５８】
以下、圧力保持試験及びエアリーク試験について具体的に説明する。
物理洗浄での逆流洗浄終了後、引き続いて、エア供給弁Ｖ４の開度を調整して圧縮空気を流量を加減して送り続ける。これにより、逆洗計量槽４内に供給され溢れた空気は通水路空間６０を通り膜モジュール７上部に供給される。そして、膜モジュール７のろ過水側（中空糸膜の内側）にあるろ過水は、圧縮空気により膜を透過し、原水側に流出する。尚、この時、原水側は排水弁Ｖ５を「開」とし大気圧の状態となっている。
【００５９】
供給された圧縮空気は、中空糸膜を透過できないことから、膜モジュールろ過水側が空気で満たされ、圧力が徐々に上昇する。そして、膜モジュール出口圧力計Ａ２により圧力が確認され、２００ＫＰａまで昇圧したらエア供給弁Ｖ４を「閉」状態とし、圧縮空気の供給をストップし、膜モジュール出口圧力計Ａ２により当該圧力が３分間保持されるか確認する。
【００６０】
圧力が保持されれば、膜破断はないものと判定する。圧力の低下が確認されれば、膜破断が生じているものと判定し、破断膜モジュールを特定するためにエアリーク試験に移行する。
エアリーク試験では、膜モジュール７を一旦膜ろ過水で満水とした後に、膜ろ過水側を大気圧に開放し、膜モジュール原水側（中空糸膜の外側）にエアスクラビン弁Ｖ７から圧縮空気を供給することにより開始する。
【００６１】
膜モジュール原水側が空気で満たされ、圧力が徐々に上昇するが、膜破断を生じている箇所から空気がリークし、膜モジュールの膜ろ過水側に気泡が生じる。
気泡は、膜モジュール上方に装備された膜破断検出器２１（具体的にはフロートスイッチ）に空気溜りを生じさせ、フロートスイッチが液面の低下により通常のＯＮ状態からＯＦＦ状態になり、こうして、膜破断検出器２１により膜破断を生じている膜モジュール７を特定することができることになる。
尚、膜破断検出器２１で膜破断が特定された膜モジュール７は、緊急遮断弁ＡＳＶで分離され、その他の膜モジュール７で膜ろ過が再開される。
【００６２】
Ｄ．薬液洗浄工程
有機系の汚染によりろ過能力が低下した場合、次亜塩素酸ナトリウムによる簡易薬液洗浄を行う。
洗浄用薬液貯留槽１００内の次亜塩素酸ナトリウムは、注入ポンプ１０１の駆動によって薬液配管Ｌ２０を通って薬液注入管５１ａから逆洗計量槽４の底部連通孔４ａに注入される。そして、注入された次亜塩素酸ナトリウムは通水路空間６０を通り各膜モジュール７に供給され、これにより薬液洗浄が行われる。ここで、注目すべきは、逆流洗浄時に逆洗水の流量をコントロールするエア供給弁Ｖ４の開度を調整することにより、逆洗水流量を微妙にコントロールすることが可能な機能を利用する。
【００６３】
即ち、洗浄用エアの供給を最少で、注入ポンプ１０１の駆動を最大とすることで高濃度次亜塩素酸ナトリウムによる浸漬洗浄を行う。ここで、エア供給弁Ｖ４の開度は、通常の物理洗浄では７０〜９０％開度で、５０ｍ３／ｈｒ、薬液洗浄では５〜６％開度で０．３ｍ３／ｈｒと１６０倍の流量制御が可能である。
また、浸漬洗浄中は原水をそのまま排水し、高濃度次亜塩素酸ナトリウム廃液を通常の浄水残留塩素濃度迄希釈し排水する。尚、浸漬洗浄後は、リンス洗浄を行い通常のろ過工程に復帰する。
【００６４】
尚、薬液注入に際しては、薬液注入管５１ａの下端部が逆洗計量槽４の底部中央位置に存在する連通孔４ａ近傍に位置しているので、通水路空間６０から各膜モジュール７に供給される薬液は各膜モジュール７に対して均等に流入することになる。従って、１つの薬液注入管５１ａによる薬液注入により全ての膜モジュール７に対して薬液を供給することができるので、薬液注入の効率が良い。加えて、各膜モジュール７に均等に薬液が供給されるので、洗浄が不十分である膜モジュール７が存在せず、各膜モジュール７は常に均等な高品質の洗浄がなされることになる。
【００６５】
（実施の形態２）
本実施の形態２に係る膜ろ過装置は、簡易薬液洗浄工程において使用する薬液（原液）を所定濃度まで希釈化して放流することを特徴とするものである。
本実施の形態２に係る膜ろ過装置は、基本的には上記実施の形態１に係る膜ろ過装置と同様の構成を有しており、対応する構成部材・構成要素については同一の番号を付す。実施の形態１と相違する構成としては、原水ポンプが省略されており、また、図１に示すエア供給弁Ｖ４に代えて、図８に示すように、エア流量を調整する逆洗流量調節弁Ｖ６０と逆洗エア開閉弁Ｖ６１を備えていることである。
【００６６】
次いで、制御装置８０による具体的な簡易薬液洗浄の制御処理を説明する。
先ず、制御装置８０の入力部（例えばタッチパネル）の操作によって、簡易薬液洗浄制御処理に必要な所定の設定値を入力する。所定の設定値としては、使用する薬液濃度Ｍ１（次亜塩素酸ナトリウム原液濃度Ｍ１）、薬液洗浄のために膜ろ過装置内に浸漬する浸漬次亜塩素酸ナトリウム溶液の濃度Ｍ２、注入ポンプ１０１の最大注入量Ｍ３、注入ポンプ１０１の運転可動域Ｍ４、逆洗流量調節弁Ｖ６０の初期開度Ｍ５、浸漬時間Ｍ６、放流水残留塩素濃度Ｍ７、放流時「開」時間Ｍ８、原水捨水流量Ｍ９、リンス洗浄繰返し回数Ｍ１０が挙げられる。Ｍ１〜Ｍ１０の入力値に応じて、具体的な処理時間等が変化する。
【００６７】
本実施の形態においては、所定の設定値Ｍ１〜Ｍ１０は具体的には以下の値に設定される。次亜塩素酸ナトリウム原液濃度Ｍ１は１２％、浸漬次亜塩素酸ナトリウム溶液の濃度Ｍ２は１８００ｍｇ／Ｌ、注入ポンプ１０１の最大注入量Ｍ３は５０ｍＬ／ｍｉｎ、注入ポンプ１０１の運転可動域Ｍ４は１００％、逆洗流量調節弁Ｖ６０の初期開度Ｍ５は６．０％、浸漬時間Ｍ６は２４０ｍｉｎ、放流水残留塩素濃度Ｍ７は５ｍｇ／Ｌ、放流時「開」時間Ｍ８は５ｓｅｃ、原水捨水流量Ｍ９は１０．０ｍ３／ｈｒ、リンス洗浄繰返し回数Ｍ１０は５回である。
【００６８】
次いで、簡易薬液洗浄の制御処理工程について説明する。なお、逆洗計量槽４の水位Ｈの変化に応じて制御処理工程が進行するように制御装置８０にプログラムされている。また、簡易薬液洗浄の制御処理工程の開始に際しては、緊急遮断弁ＡＳＶが「開」に、洗浄排水弁Ｖ５が「開」に設定される。
【００６９】
先ず、逆洗計量槽４の上部凹凸部等により、逆洗計量槽４が満杯の時の水位Ｈにバラツキがあるため、逆洗流量調節弁Ｖ６０の初期開度を６．０％、逆洗エア開閉弁Ｖ６１を「開」とし、逆洗計量槽４の水面を押下げ、水位Ｈ＝Ｈ１（希釈水流量調整開始水位、本実施の形態ではＨ１＝８００ｍｍに設定）になった時、希釈水流量調整工程を開始する。
【００７０】
（希釈水流量調整工程）
実施の形態１において述べたように、原水の温度に応じて膜モジュール７内の膜透過性が変化するので、設定した希釈水流量（本実施の形態では０．２０ｍ３／ｈｒに設定）とならない場合がある。そのため、希釈水流量調整工程では、未だ次亜塩素酸ナトリウムを注入せず、この状態において希釈水流量を調整して、希釈水流量の補正を行う。
【００７１】
具体的な処理としては、水位Ｈが５ｍｍ毎に低下する到達時間を計測し、２９．８ｓｅｃより早い場合は逆洗流量調節弁Ｖ６０の開度を「０．１％」閉じる制御行い、２９．８ｓｅｃより遅い場合は逆洗流量調節弁Ｖ６０の開度を「０．１％」開く制御行う。
このような希釈水流量調整を、水位Ｈ＝Ｈ２（浸漬次亜塩調整送液開始水位、本実施の形態ではＨ２＝７５０ｍｍに設定）に到達するまで行う。従って、水位が８００ｍｍから７５０ｍｍに到達するまで、希釈水流量の調整処理を１０回行うことができ、最大１％の補正を行うことができ、設定された希釈水流量により近似した希釈水流量が得られることになる。
なお、このような希釈水流量調整は、水位７５０ｍｍ到達後の次亜塩素酸ナトリウム注入時も行われ、後述する原水捨水併用工程まで継続する。
【００７２】
（浸漬次亜塩調整送液工程）
注入ポンプ１０１の運転を開始する。これにより、次亜塩素酸ナトリウムが薬液注入管５１ａの下端部から注入され、逆洗計量槽４から通水路空間６０に流れ込む膜ろ過水（洗浄水に相当）と混合され希釈化され、浸漬次亜塩酸ナトリウム溶液の調整が行われる。このような浸漬次亜塩調整送液工程は、水位Ｈ＝Ｈ３（原水捨水開始水位、本実施の形態ではＨ３＝５５０ｍｍに設定）に到達するまで行う。なお、水位が５５０ｍｍに到達するまでは、単なる水である洗浄水は排出されるけれども、浸漬次亜塩酸ナトリウム溶液は膜ろ過装置内に留まっており、外部に排出されない。
【００７３】
（原水捨水併用工程）
水位がＨ３（５５０ｍｍ）に到達すると、原水捨水併用工程に進む。即ち、水位が５５０ｍｍを過ぎると、浸漬次亜塩酸ナトリウム溶液が排出される可能性がある。かかる浸漬次亜塩酸ナトリウム溶液は高濃度であるため、このまま放流することは環境上の制約等でできない。そこで、原水の供給により希釈化して放流することとしている。
【００７４】
具体的には、原水ドレン弁Ｖ４０を「開」にする。これにより、浸漬次亜塩酸ナトリウム溶液は原水により希釈化される。但し、原水の流量が限られている（１００ｍ３／ｈｒ）ため、放流水残留塩素濃度を５ｍｇ／Ｌとすることができない。そこで、希釈比率の調整処理を行って、放流水残留塩素濃度を５ｍｇ／Ｌとして放流するようにしている。具体的には、逆洗エア開閉弁Ｖ６１を「開」とし、この「開」状態を５ｓｅｃ（第１設定時間に相当）維持し、５ｓｅｃ経過すれば逆洗エア開閉弁Ｖ６１を「閉」とし、この「閉」状態を３０．７ｓｅｃ（第２設定時間に相当）維持し、３０．７ｓｅｃ経過すれば、再び逆洗エア開閉弁Ｖ６１を「開」とし、このような処理を繰り返し行う。なお、注入ポンプ１０１も逆洗エア開閉弁Ｖ６１の開閉に応じて運転／停止を行う。このような逆洗エア開閉弁Ｖ６１の開閉及び注入ポンプ１０１の運転／停止を繰り返し行うことにより、放流時「開」時間を５ｓｅｃ、放流時インターバル時間を３０．７ｓｅｃ、つまり、５ｓｅｃ間放流、３０．７ｓｅｃ停止が繰り返えされ、送液量の制限によって全体として希釈比率の調整処理が行われる。そして、このような原水捨水工程は、水位Ｈ＝Ｈ４（浸漬次亜塩調整送液停止水位、本実施の形態ではＨ４＝４００ｍｍに設定）に到達するまで行う。
【００７５】
（浸漬次亜塩調整送液停止工程）
水位がＨ４（４００ｍｍ）に到達すると、浸漬次亜塩調整送液停止・原水捨水停止・次亜塩浸漬開始工程に進む。具体的には、浸漬次亜塩調整送液停止工程として逆洗エア開閉弁Ｖ６１を「閉」とし、原水捨水停止工程としては原水ドレン弁Ｖ４０を「閉」とし、次亜塩浸漬開始工程としては逆洗流量調節弁Ｖ６０を初期開度に固定し注入ポンプ１０１を停止する。そして、この状態を２４０ｍｉｎ維持する。つまり、浸漬時間２４０ｍｉｎとする。この浸漬時間内に膜モジュール７の固着物が薬液洗浄されることになる。
【００７６】
（浸漬次亜塩酸ナトリウム溶液排出工程）
浸漬時間２４０ｍｉｎが経過すると、浸漬次亜塩酸ナトリウム溶液の排出処理が開始される。即ち、浸漬次亜塩酸ナトリウム溶液を所定濃度に希釈化して放流が行われる。
具体的には、原水ドレン弁Ｖ４０を「開」にする。逆洗流量調節弁Ｖ６０は、初期開度に固定したままである。そして、上記原水捨水工程の希釈比率の調整処理と同様に、逆洗エア開閉弁Ｖ６１を「開」とし、この「開」状態を５ｓｅｃ（第１設定時間に相当）維持し、５ｓｅｃ経過すれば逆洗エア開閉弁Ｖ６１を「閉」とし、この「閉」状態を３０．７ｓｅｃ（第２設定時間に相当）維持し、３０．７ｓｅｃ経過すれば、再び逆洗エア開閉弁Ｖ６１を「開」とし、このような処理を繰り返し行う。
【００７７】
このような浸漬次亜塩酸ナトリウム溶液排出工程は、水位Ｈ＝Ｈ５（浸漬次亜塩酸ナトリウム溶液排出停止水位、本実施の形態ではＨ５＝５０ｍｍに設定）に到達するまで行う。水位が５０ｍｍに到達すれば、実質的には浸漬次亜塩酸ナトリウム溶液が全て排出されたものとみなされる。
【００７８】
（リンス洗浄工程）
水位が５０ｍｍに到達すると、リンス洗浄工程に進む。リンス洗浄工程における具体的な処理としては、水位が５０ｍｍから８００ｍｍまでろ過処理を行い、水位が８００ｍｍに到達すると、ろ過処理を停止して逆流洗浄処理を開始し、水位が５０ｍｍに到達すると、逆流洗浄処理を停止する。そして、このようなろ過処理及び逆流洗浄処理を所定繰り返し回数（本実施の形態では５回）繰り返す。
こうして、リンス洗浄工程が終了すると、簡易薬液洗浄処理が完了することになる。その後は、通常のろ過処理等が行われることになる。
【００７９】
（その他の事項）
（１）上記実施の形態では、物理洗浄時の圧力供給はコンプレッサで行なっていたが、空気圧シリンダ、油圧シリンダ、加圧給水ポンプ等を用いてもよい。
（２）上記実施の形態では、逆洗計量槽４内の中央部に、管体５１が備えられており、この管体５１は、薬液を注入する薬液注入管５１ａの内側に膜ろ過水をサンプリングする膜ろ過水サンプリング管５１ｂが配置された２重管構造をなした構成とされていたが、本発明はこれに限定されず、逆洗計量槽４内の中央部に、薬液注入管及び膜ろ過水サンプリング管としてそれぞれ使用する２個の管を個別に設けるような構成であってもよい。
（３）上記実施の形態１のエア供給弁Ｖ４は、物理洗浄時及び薬液洗浄時のいずれの時おいても、圧縮空気の流量を調整するように構成されたが、注入ポンプ１０１から逆洗計量槽４に至る配管を途中で２経路に分岐し、一方の経路に物理洗浄用エア供給弁を設け、他方の経路に薬液用エア供給弁を設けるように構成してもよい。
（４）上記実施の形態１では、通常は濁度を監視し測定濁度値が所定値Ｘ１（第１設定値に相当）以上になった場合には膜ろ過水サンプルを膜モジュール毎に切替え、濁度測定を行い測定濁度値が所定値Ｘ２（第２設定値に相当）以上になった膜モジュールを膜破断と特定し、このような測定濁度値による膜破断検出・膜モジュール特定を行い、定期的に圧力保持試験による膜破断検出及びエアリーク試験による膜破断した膜モジュールの特定を行うように構成していた。本発明はこれに限定されず、測定濁度値が所定値Ｘ１以上になった場合において、膜破断を生じている膜モジュールを特定する手段として、膜ろ過水サンプルを膜モジュール毎に切替える手段と、エアリーク試験により特定する手段のいずれかを選択するような構成であってもよい。なお、圧力保持試験により膜破断を検出し、膜破断が検出された場合には膜ろ過水サンプルを膜モジュール毎に切替えて膜破断した膜モジュールの特定を行うように構成してもよいが、このような構成では膜破断した膜モジュールの特定までに時間（３０分程度）を要するため、その間に高濁度ろ過水が供給される懸念があることから、圧力保持試験により膜破断を検出し、膜破断が検出された場合にはエアリーク試験により膜破断した膜モジュールの特定する構成とするのが好ましい。
【産業上の利用可能性】
【００８０】
本発明は、装置内に物理洗浄に使用する洗浄水槽を一体に設け、効率良く膜ろ過処理を継続できる自己洗浄槽保有型膜ろ過装置に適用される。
【符号の説明】
【００８１】
１：膜ろ過装置                          ２：返送・排水槽
３：洗浄水槽                            ４：逆洗計量槽
４ａ：連通孔                            ５：原水供給ブロック
６：膜ろ過水集水ブロック        ７ａ〜７ｊ：膜モジュール
１５：空気槽                          １６：コンプレッサ
２１：膜破断検出器              ３０，３１：開閉弁
４５：濁度計                          ４９：配管部材
５０：円盤状基台                      ５１：管体
５１ａ：薬液注入管                  ５１ｂ：膜ろ過水サンプリング管
５２，５３：薬液注入路          ５４，５５：配管接続口
５８：閉止体                          ５９：チャッキ弁
６０：通水路空間                    １００：貯留槽
１０１：注入ポンプ                    Ａ１：逆洗計量槽レベル計
Ａ２：膜モジュール出口圧力計          Ｖ４：エア供給弁
Ｖ７：エアスクラビング
Ｖ３０，Ｖ３１，Ｖ３２ａ〜ＳＶ３２ｊ：開閉弁
ＡＳＶ：緊急遮断弁                  Ｖ４０：原水ドレン弁
Ｖ６０：逆洗流量調節弁              Ｖ６１：逆洗エア開閉弁
【図１】
0005855778.tif 000002
【図２】
0005855778.tif 000003
【図３】
0005855778.tif 000004
【図４】
0005855778.tif 000005
【図５】
0005855778.tif 000006
【図６】
0005855778.tif 000007
【図７】
0005855778.tif 000008
【図８】
0005855778.tif 000009